(57)【要約】【課題】保護具本体の構造を簡易にするとともに、ガードパイプに対し、ワンタッチで簡単に装着する。【解決手段】道路等の側縁に沿って少なくとも上下及び中間のパイプ材Ｐ１〜Ｐ３が平行状に配設されたガードパイプＰに装着される保護具１であって、上下のパイプ材Ｐ１、Ｐ３にその配設方向とほぼ直交する方向に跨って配置される保護具本体２を主体として構成され、この保護具本体２は、中間のパイプ材Ｐ２が位置されるほぼ中央部に形成されかつ中間のパイプ材Ｐ２を支点として弾性的に一方向への曲折及び復元可能な曲折可能部４と、上下部に形成されかつ曲折可能部の曲折時の復元弾力により上下のパイプ材Ｐ１、Ｐ３に当接係止される係止受部５、６と、を備えてなる。【選択図】  図１
2005054385.tif 000002
【特許請求の範囲】
【請求項１】
道路等の側縁に沿って少なくとも上下及び中間のパイプ材が平行状に配設されたガードパイプに装着される保護具であって、該上下のパイプ材にその配設方向とほぼ直交する方向に跨って配置される保護具本体を主体として構成され、この保護具本体は、前記中間のパイプ材が位置されるほぼ中央部に形成されかつ該中間のパイプ材を支点として弾性的に一方向への曲折及び復元可能な曲折可能部と、上下部に形成されかつ前記曲折可能部の曲折時の復元弾力により前記上下のパイプ材に当接係止される係止受部と、を備えてなるを特徴とする道路等のガードパイプ用保護具。
【請求項２】
請求項１記載の道路等のガードパイプ用保護具であって、保護具本体は、曲折可能部を中間のパイプ材に一方面側から嵌合する嵌合凹面となし、上下部の係止受部を上下のパイプ材に他方面側から嵌合する嵌合凹面となし、該上下部の係止受部間の外周面を前記各パイプ材への取付けに際し、該各パイプ材の一方面側から膨出されることを特徴とする道路等のガードパイプ用保護具。
【請求項３】
請求項１または２記載の道路等のガードパイプ用保護具であって、保護具本体を弾性を有する材質から形成されていることを特徴とする道路等のガードパイプ用保護具。
【請求項４】
請求項１または２記載の道路等のガードパイプ用保護具であって、保護具本体の外周面に反射シートを設けてなるを特徴とする道路等のガードパイプ用保護具。
【請求項５】
請求項１または２記載の道路等のガードパイプ用保護具であって、保護具本体の上下部の係止受部には、前記上下のパイプ材に対し接着する接着部材を設けてなるを特徴とする道路等のガードパイプ用保護具。
【発明の詳細な説明】
【０００１】
【発明が属する技術分野】
本発明は、道路等の側縁に沿って少なくとも上下及び中間のパイプ材が平行状に配設されたガードパイプに装着されるガードパイプ用保護具に関する。
【０００２】
【従来の技術】
一般に、この種のガードパイプに装着される保護具にあっては、ガードパイプの道路側（例えば、車の走行側）に面した部位に対し、反射シート又は反射板等を取付けた保護具本体を装着する場合、該保護具本体とパイプ材とに孔を明けてその孔を利用してボルト・ナット等により締着固定するか、専用の取付ブラケットを介在してボルト・ナット等により締着固定する手段が採用されていた。
なお、上記した手段は、一般的な手段であるため、とくに、特許文献の調査は行っていない。
【０００３】
【発明が解決しようとする課題】
しかしながら、上記した従来のガードパイプへの保護具本体の装着にあっては、いちいち保護具本体とパイプ材とに孔を明けてたり、専用の取付ブラケットを使用してボルト・ナット等により締着しなければならず、その装着作業や取換え作業が面倒かつ煩わしいものとなり、必然的に作業性の悪化を招来するものであった。
そこで、本発明は、上記した従来の問題点に鑑み、保護具本体の構造を簡易にするとともに、ガードパイプに対し、ワンタッチで簡単に装着することができる道路等のガードパイプ用保護具を提供することを目的とする。
【０００４】
【課題を解決するための手段】
本発明は、上記した目的を達成するために、以下のように構成されている。
請求項１に記載の発明は、道路等の側縁に沿って少なくとも上下及び中間のパイプ材が平行状に配設されたガードパイプに装着される保護具であって、該上下のパイプ材にその配設方向とほぼ直交する方向に跨って配置される保護具本体を主体として構成され、この保護具本体は、前記中間のパイプ材が位置されるほぼ中央部に形成されかつ該中間のパイプ材を支点として弾性的に一方向への曲折及び復元可能な曲折可能部と、上下部に形成されかつ前記曲折可能部の曲折時の復元弾力により前記上下のパイプ材に当接係止される係止受部と、を備えてなるを要旨とする。
【０００５】
この構成によれば、保護具本体におけるほぼ中央部の曲折可能部を中間のパイプ材を支点として弾性的に一方向（パイプ部材の一方面側から他方面側）に曲折させて、その上下部の係止受部をそれぞれ上下のパイプ材に係止し得る状態（パイプ部材の他方面側）に位置するとともに、その曲折動作を止めた後（曲折時）の復元弾力により該係止受部をそれぞれ上下のパイプ材（パイプ部材の他方面側）にそのまま当接係止して、保護具本体の全体を少なくとも上下及び中間のパイプ材が平行状に配設されたガードパイプに装着するものである。
すなわち、保護具本体におけるほぼ中央部の曲折可能部と上下部の係止受部とによりガードパイプにおける上下及び中間のパイプ材をそれぞれ弾力的に挟持した状態で装着することができる。
これによって、保護具本体の構造を簡易にするとともに、ガードパイプに対し、保護具本体をワンタッチで簡単に装着することができる。
【０００６】
請求項２に記載の発明は、請求項１記載の道路等のガードパイプ用保護具であって、保護具本体は、曲折可能部を中間のパイプ材に一方面側から嵌合する嵌合凹面となし、上下部の係止受部を上下のパイプ材に他方面側から嵌合する嵌合凹面となし、該上下部の係止受部間の外周面を前記各パイプ材への取付けに際し、該各パイプ材の一方面側から膨出されることを要旨とする。
【０００７】
この構成によれば、保護具本体において、嵌合凹面となした曲折可能部を中間のパイプ材に一方面側から嵌合して、嵌合凹面となした上下部の係止受部を上下のパイプ材に他方面側から嵌合して、保護具本体をガードパイプにおける上下及び中間のパイプ材をそれぞれ弾力的に挟持した状態で装着し得る。
これによって、ガードパイプに対し、保護具本体をワンタッチで簡単かつ確実に装着することができるとともに、各パイプ材の一方面側から膨出される上下部の係止受部間の外周面によって保護具本体並びにガードパイプの存在を確認し易くし得る。
【０００８】
請求項３に記載の発明は、請求項１または２記載の道路等のガードパイプ用保護具であって、保護具本体を弾性を有する材質、例えば、ゴム、合成樹脂、自動車のバンパー等の再生樹脂等から形成されていることを要旨とするものである。この構成によれば、保護具本体自体を軽量かつ簡易に製作することができるとともに、とくに、保護具本体における曲折可能部の形成を容易にし得る。
【０００９】
請求項４に記載の発明は、請求項１または２記載の道路等のガードパイプ用保護具であって、保護具本体の外周面に反射シートを設けてなるを要旨とする。
この構成によれば、保護具本体の外周面の反射シートによって、該保護具本体並びにガードパイプの存在を確認（視認）し易くし得る。とくに、各パイプ材の一方面側から膨出される上下部の係止受部間の外周面に反射シートを設けた場合は、該反射シートを確認（視認）できる範囲を拡大することができる。
【００１０】
請求項５記載の発明は、請求項１または２記載の道路等のガードパイプ用保護具であって、保護具本体の上下部の係止受部には、前記上下のパイプ材に対し接着する接着部材、例えば、両面テープ等を設けてなるを要旨とする。
この構成によれば、上下部の係止受部における接着部材によって、該係止受部を上下のパイプ材に対し確実に装着することができる。
【００１１】
【発明の実施の形態】
以下、本発明の実施の形態を図にしたがって説明する。
図１に示すように、本実施の形態におけるガードパイプ保護具１は、道路等の側縁に沿って少なくとも上下及び中間のパイプ材Ｐ１、Ｐ２、Ｐ３が平行状に配設されたガードパイプＰに対し、その配設方向とほぼ直交する方向に跨って配置されるものであり、全体が所定の長さのほぼ蒲鉾状に形成された保護具本体２を主体として構成されている。
【００１２】
この保護具本体２は、図１及び図２に示すように、弾性を有する材質、例えば、ゴム、合成樹脂、自動車のバンパー等の再生樹脂等からなり、所定の肉厚部を残して内部を空洞となしたほぼ蒲鉾状に形成されている。すなわち、横断面において、ほぼＵ字状の曲面外周部２ａと、その端面が直線端面２ｂとからなる形状に形成されている。
【００１３】
前記保護具本体２のほぼ中央部両側には直線端面２ｂから曲面外周部２ａの頂面２ｃにかけて該直線端面２ｂ側を開放した嵌合凹面３が切り欠き形成され、この嵌合凹面３は、曲面外周部２ａの頂面２ｃ側を前記中間のパイプ材Ｐ２に一方面側から嵌合するように円形に形成されかつ曲面外周部２ａの側面から直線端面２ｂに至る部位を斜状に広く拡開形成されている。
【００１４】
そして、前記保護具本体２において、嵌合凹面３が形成されて残余の曲面外周部２ａの頂面２ｃの肉厚部の部位は、前記中間のパイプ材Ｐ２を支点として弾性的に一方向（図２において矢印Ｙ方向）への曲折及び復元可能な曲折可能部４として形成されている。
【００１５】
また、前記保護具本体２の曲面外周部２ａの上下部には、少なくとも前記嵌合凹面３の開放側とは逆方向側を開放した係止受部５、６がそれぞれ形成されており、この係止受部５、６は、前記上下のパイプ材Ｐ１、Ｐ３に他方面側から嵌合するようにほぼ円弧状の嵌合凹面５ａ、６ａに形成されている。
しかして、係止受部５、６は、曲折可能部４の曲折時の復元弾力により、その嵌合凹面５ａ、６ａが上下のパイプ材Ｐ１、Ｐ３に対し他方面側から嵌合して当接係止されるように構成されている。
【００１６】
そして、保護具本体２の曲面外周部２ａにおけるほぼ上下部には、横方向に所定の幅の段差凹面が形成され、その段差凹面にそれぞれ光りによって反射する反射シート７、７が該段差凹面の幅全体に横方向にそれぞれ接着剤等により貼着されている。
【００１７】
本実施の形態におけるガードパイプ保護具１は上述の様に構成されたものであり、ガードパイプ保護具１を少なくとも上下及び中間のパイプ材Ｐ１、Ｐ２、Ｐ３が平行状に配設されたガードパイプＰに装着する場合には、図２に示すように、保護具本体１におけるほぼ中央部の曲折可能部４の嵌合凹面３を中間のパイプ材Ｐ２にその一方面側から嵌合する。
【００１８】
そして、前記を曲折可能部４を中間のパイプ材Ｐ２の外周を支点として弾性的に一方向（パイプ部材Ｐ２の一方面側から他方面側）に曲折（矢印Ｙ方向）させて、その上下部の係止受部５、６をそれぞれ上下のパイプ材Ｐ１、Ｐ３に係止し得る状態（パイプ部材Ｐ１、Ｐ３の他方面側）に位置するとともに、その曲折動作を止めた後（曲折時）、その復元弾力により該係止受部５、６、すなわち、ほぼ円弧状の嵌合凹面５ａ、６ａをそれぞれ上下のパイプ材Ｐ１、Ｐ３の他方面側にそのまま当接して係止することができる。この装着状態においては、保護具本体２における上下部の係止受部５、６間の曲面外周部２ａが前記各パイプ材Ｐ１、Ｐ３一方面側から膨出された状態で装着されるものである。
【００１９】
これによって、保護具本体２の全体を少なくとも上下及び中間のパイプ材Ｐ１〜Ｐ３が平行状に配設されたガードパイプＰに装着するものである。すなわち、保護具本体２におけるほぼ中央部の曲折可能部４の嵌合凹面３と上下部の係止受部５、６の嵌合凹面５ａ、６ａとによりガードパイプＰにおける上下及び中間のパイプ材Ｐ１〜Ｐ３をそれぞれ弾力的に挟持した状態で装着することができ、該保護具本体２が上下及び中間のパイプ材Ｐ１〜Ｐ３から離脱することなく、強固に装着することができるとともに、保護具本体２の構造を簡易にするとともに、ガードパイプＰに対し、保護具本体２をワンタッチで簡単に装着することができる。
【００２０】
また、本実施の形態においては、保護具本体２における上下部の係止受部５、６間の曲面外周部２ａが前記各パイプ材Ｐ１〜Ｐ３の一方面側から膨出された状態で装着されることと、横断面において、ほぼＵ字状の曲面外周部２ａと、その端面が直線端面２ｂとからなる形状に形成されていることによって、保護具本体２並びにガードパイプＰの存在を確認し易くし得るとともに、その曲面外周部２ａに貼着した反射シート７を確認（視認）できる範囲を拡大することができる。
【００２１】
さらに、本実施の形態においては、保護具本体２の上下部の係止受部５、６に上下のパイプ材Ｐ１、Ｐ３に対して接着する接着部材、例えば、両面テープ等を設けろことによって、該係止受部５、６を上下のパイプ材Ｐ１、Ｐ３に対し確実に装着、すなわち、保護具本体２をガードパイプＰに確実に装着することができる。
【００２２】
そして、本実施の形態においては、保護具本体２全体を、弾性を有する材質、例えば、ゴム、合成樹脂、自動車のバンパー等の再生樹脂等から形成されているので、軽量かつ簡易に製作することができるとともに、とくに、保護具本体２における曲折可能部４の形成を容易にし得る。
【００２３】
なお、本実施の形態においては、保護具本体２を全体を所定の長さのほぼ蒲鉾状に形成したが、この形状はこれに限定するものではなく、その材質も弾性を有する材質に限定するものではない。
【００２４】
【発明の効果】
請求項１に記載の発明によれば、保護具本体の構造を簡易にするとともに、ガードパイプに対し、保護具本体をワンタッチで簡単に装着することができる。
【００２５】
請求項２に記載の発明によれば、ガードパイプに対し、保護具本体をワンタッチで簡単かつ確実に装着することができるとともに、各パイプ材の一方面側から膨出される上下部の係止受部間の外周面によって保護具本体並びにガードパイプの存在を確認し易くし得る。
【００２６】
請求項３に記載の発明によれば、保護具本体自体を軽量かつ簡易に製作することができるとともに、とくに、保護具本体における曲折可能部の形成を容易にし得る。
【００２７】
請求項４に記載の発明によれば、保護具本体並びにガードパイプの存在を確認（視認）し易くし得る。とくに、各パイプ材の一方面側から膨出される上下部の係止受部間の外周面に反射シートを設けた場合は、該反射シートを確認（視認）できる範囲を拡大することができる。
【００２８】
請求項５記載の発明によれば、保護具本体をガードパイプに確実に装着することができる。
【図面の簡単な説明】
【図１】本発明の実施の形態を示す保護具本体の装着状態を示す斜視図である。
【図２】保護具本体の側面図である。
【図３】同じく、保護具本体の正面図である。
【図４】同じく、保護具本体の平面図である。
【図５】同じく、保護具本体の縦断面図である。
【符号の説明】
１  ガードパイプ保護具
２  保護具本体
４  曲折可能部
５  係止受部
６  係止受部
７  反射シート
Ｐ  ガードパイプ
Ｐ１  上のパイプ材
Ｐ２  中間のパイプ材
Ｐ３  下のパイプ材
【図１】
2005054385.tif 000003
【図２】
2005054385.tif 000004
【図３】
2005054385.tif 000005
【図４】
2005054385.tif 000006
【図５】
2005054385.tif 000007